(57)【要約】      （修正有）【課題】ヘルメット本体と、排気管と、換気ファンと、換気ファンの電源装置とよりなり、ヘルメット内部で熱された空気や発汗による蒸気を、換気ファンを稼動させて、ヘルメット外部へ排気管を通じて強制排気して、新鮮な空気をヘルメット内部へ吸気することでヘルメット内の空気を循環させて、ヘルメット内部がムレないようにする事が出来る、快適で安全なクールヘルメットを提供する。【解決手段】ヘルメット本体２の上部に設けられた排気孔から、ヘルメット２の外部へ排気を通す排気管３を、ヘルメット本体２の外部後方を這うように設け、さらに、排気管先端の排気排出口のやや手前の内部に換気ファン４設け、排気排出口の外側の両側に電源装置５を設置する。【選択図】図１
2015004147.tif 000002
【特許請求の範囲】
【請求項１】
ヘルメット本体の上部に設けられた排気孔からヘルメットの外部へ排気を通す排気管を、ヘルメット本体の外部後方を這うように設け、さらに、排気管先端の排気排出口のやや手前の内部に換気ファン設け、排気排出口の外側の両側に設置された電源装置とよりなり、ヘルメット本体内部で熱された空気や発汗による蒸気を、換気ファンを稼動させてヘルメット本体内部から強制的に吸引し、排気管を通じて、ヘルメット本体外部へ強制排気することでヘルメット本体内の空気を循環させ、ヘルメット本体内のムレを解除することが可能になっていることを特徴とするクールヘルメット。
【請求項２】
排気管を、ヘルメット本体内部に設けたことを特徴とする請求項1記載のクールヘルメット。
【請求項３】
換気ファンの電源として、太陽光発電装置を設けたことを特徴とする請求項1又は２記載のクールヘルメット。
【請求項４】
ヘルメット本体の空気取込み口に冷却材を設けたことを特徴とする請求項1、２又は３記載のクールヘルメット。
【請求項５】
電源装置をヘルメット本体外に設けたことを特徴とする請求項１、２、３又は４記載のクールヘルメット。
【請求項６】
換気ファンをヘルメット本体外に設けたことを特徴とする請求項１、２、３、４又は５記載のクールヘルメット。
【請求項７】
換気ファンの電源として、風力発電装置を設けたことを特徴とする請求項１、２、３、４、５、又は６記載のクールヘルメット。
【請求項８】
換気ファンと連動する風車を設けたことを特徴とする請求項１、２、３、４、５、６又は７記載のクールヘルメット。
【発明の詳細な説明】
【技術分野】
【０００１】
本発明は、暑さ対策のヘルメットに関するものである。
【背景技術】
【０００２】
従来より、ヘルメット内部の温度上昇を抑える為、ヘルメット内部に断熱材や冷却材を設けたものはあった
また、ムレを解除する為、ヘルメット本体に小さな換気穴を設けたものはあった。
【発明の開示】
【発明が解決しようとする課題】
【０００３】
それゆえに次のような問題点があつた。            
従来より、ヘルメットを装着する際は、ヘルメット内部が高温になるのを防止したり、頭部の発汗をできるだけおさえる為、ヘルメット内部に断熱材を設けたり、ヘルメット内部で熱された空気を冷却する為、冷却材を設けたりしたが、ムレの不快感は温度の高さというよりは、ヘルメット内に空気がこもってしまう事に主因があり、不快さの除去には中途半端にならざるを得なかった。
特に夏期は内部が高温になる為、不快なばかりでなく、意識が朦朧としたり熱中症など危険な状態にあっても、法規上ヘルメットを装着しなければならず、耐えながら作業せざるを得なかった。
さらに、作業効率もあがらない等人件費や経済効率の点でも問題があったり、ヘルメット内部のムレによる頭部の汗疹や湿疹などの皮膚の被れや体臭など、身体自体に及ぼす悪影響がある場合もあった。
また、ヘルメット本体に換気穴を設けたものは、急な降雨や雨天時は雨水が侵入してきた。
本発明は、これらの欠点を除くために発明されたものである。
【課題を解決するための手段】
【０００４】
ヘルメット本体の上部に設けられた排気孔からヘルメットの外部へ排気を通す排気管を、ヘルメット本体の外部後方を這うように設け、さらに、排気管先端の排気排出口のやや手前の内部に換気ファン設け、排気排出口の外側の両側に電源装置を設置する。
本発明は、以上のような構成よりなるクールヘルメットである。
【発明の効果】
【０００５】
したがって、次の効果を呈する。
ヘルメット使用時の頭部のムレが無くなることにより、ムレによる頭部の汗疹や湿疹などの皮膚の被れや体臭など、身体自体に及ぼす悪影響が無くなるばかりでなく、快適になって作業効率があがり、人件費の削減など経済効率の上昇も期待され社会に貢献できる。
特に夏期は、この発明により、ヘルメット内部の空気がこもらないように排気機能が働くので、ムレが解消される為、意識が朦朧としたり熱中症など危険な症状も予防でき、快適に安全に作業したり、運転したりする事ができるようになった。
また、排気排出口はヘルメット本体の雨除けで覆われており、さらに、換気ファンはヘルメット本体の排気排出管内、あるいは換気ファンケースの中にあって、雨天時でも雨水が侵入しにくくなった。
【図面の簡単な説明】
【０００６】
【図１】本発明の実施例を示す斜視図
【図２】本発明の吸気と排気の構造を示す縦断面図
【図３】本発明の別の実施例を示す斜視図
【図４】本発明の吸気と排気の構造を示す縦断面図
【図５】本発明の更に別の実施例を示す斜視図
【図６】本発明の更に別の吸気と排気の構造を示す縦断面図
【図７】本発明の更に別の実施例を示す斜視図
【図８】本発明の更に別の吸気と排気の構造を示す縦断面図
【図９】本発明の更に別の実施例を示す斜視図
【図１０】本発明の更に別の吸気と排気の構造を示す縦断面図
【図１１】本発明の更に別の実施例を示す斜視図
【図１２】本発明の更に別の吸気と排気の構造を示す縦断面図
【図１３】本発明の更に別の実施例を示す斜視図
【図１４】本発明の更に別の吸気と排気の構造を示す縦断面図
【図１５】本発明の更に別の実施例を示す斜視図
【図１６】本発明の更に別の吸気と排気の構造を示す縦断面図
【図１７】本発明の更に別の実施例を示す斜視図
【図１８】本発明の更に別の実施例の平面図の半分の内部構造を解りやすくした半断面図
【図１９】本発明の更に別の吸気と排気の構造の縦断面図
【図２０】本発明の一部である電源装置の実施例を示す斜視図
【図２１】本発明の更に別の実施例を示す斜視図
【図２２】本発明の更に別の実施例を示す斜視図
【図２３】本発明の更に別の実施例を示す斜視図
【図２４】本発明の更に別の吸気と排気の構造を示す縦断面図
【図２５】本発明の更に別の実施例を示す斜視図
【図２６】本発明の更に別の吸気と排気の構造を示す縦断面図
【図２７】本発明の更に別の実施例を示す斜視図
【図２８】本発明の更に別の吸気と排気の構造を示す縦断面図
【図２９】本発明の更に別の実施例を示す斜視図
【図３０】本発明の更に別の吸気と排気の構造を示す縦断面図
【図３１】本発明の一部である電源装置の実施例を示す斜視図
【図３２】本発明の一部である電源装置の実施例を示す斜視図
【図３３】本発明の更に別の実施例を示す斜視図
【図３４】本発明の更に別の吸気と排気及び外気流の構造を示す縦断面図
【図３５】本発明の更に別の実施例の外気流と、平面図の半分の内部構造を解りやすくした半断面図
【図３６】本発明の更に別の吸気と排気及び外気流の構造を示す斜視図
【図３７】本発明の更に別の吸気と排気及び外気流の構造を示す縦断面図
【図３８】本発明の更に別の吸気と排気及び外気流の構造を示す縦断面図
【図３９】本発明の更に別の実施例を示す斜視図
【図４０】本発明の更に別の吸気と排気の構造を示す縦断面図
【発明を実施するための形態】
【０００７】
以下、本発明の第１の実施の形態について説明する。
【実施例１】
【０００８】
本発明は図1、2、3、4に示すように、ヘルメット（2）本体と、ヘルメット（2）本体の上部に設けられた排気孔（11）からヘルメットの外部へ排気を通す排気管（3）を、ヘルメット（2）本体の外部後方を這うように設け、さらに、排気管（3）先端の排気排出口（13）のやや手前の内部に換気ファン（4）を設け、排気排出口（13）の外側に排気管（3）を挟むように設置された電源装置（5）とにより構成されている。
ヘルメット（2）本体は、軽量で安全基準に適合したもので、上部に前記排気孔（11）が設けてある。
排気孔（11）には、排気管（3）が接続されている。
排気管（3）は、ヘルメット（2）本体の外部に這うように設けられていて、上部から後下方にかけてパイプ状にヘルメット（2）本体と一体成形、あるいは単体のパイプで設けられている。
排気管（3）の、排気吸引口（12）はヘルメット（2）本体の上部の排気孔（11）に接続されている。
また、反対側の下部の排気排出口（13）は解放されていて、排気管の排気排出口（13）のやや手前の内部には換気ファン（4）が固定されている。            
あるいは、図5、6に示すように、ヘルメット（2）本体の上部に排気孔（11）を設けず、ヘルメット（2）内部に、パイプ形状で柔軟性と形状記憶性を有した素材で、ヘルメット（2）の形状に添って後方に縦方向に這うように排気管（3）を設ける。
排気管（3）の上部の排気吸引口（12）は開口され、下方の排気排出口（13）は解放されている。
さらに、排気排出口（13）は、ヘルメット（2）本体の換気ファンケース（16）内の排気管突出口（15）より外部に突出していて、排気管（3）と換気ファンケース（16）はシーリングして気密になっている。
換気ファンケース（16）は、ヘルメット（2）本体と一体成形されて、雨水が侵入しないように出来ており、雨除けと兼用になっている。
そして、換気ファンケース（16）内には、換気ファン（4）が固定されて設けられており、配線を通じて電源装置（5）に接続されている。
電源装置（5）は、図1、3、4、５、及び、図7から12に示すように、電源ボックス（6）と乾電池などの電源（7）とスイッチ（8）とよりなり、ヘルメット（2）の操作しやすい任意の場所に設けられている。
あるいは、図20に示すように、電源装置（5）のスイッチ（8）を前記ヘルメット（2）本体に設けず、ヘルメット（2）本体外に、外付けスイッチボックス（20）を配線を長くしてセパレーツ型で設け、衣類のポケットやベルトなどに容易に着脱可能にする。
図39、40に示すように、キャラクター型ヘルメットは、内容量が大きくなる例が多いので、換気ファン（4）を内蔵した排気管（3）を数カ所に設ける事も一案であり、排気管の排気排出口（13）は羽毛やメッシュ等で外観上は見えにくくなっている。
図7から12に示すような、カツラ型ヘルメットは、カツラ型ヘルメットの頭髪（30）のある外周辺部分に空気取込み口（14）を設けて、空気取込み口（14）が見えにくいようになっている。
また、頭髪（30）は髪押えメッシュ（31）で押える。
図39、40に示すように、イベントやお祭りなどで使用するキャラクター型ヘルメットは、換気ファン（4）のスイッチ（8）操作は手動でも容易であるが、図7から12に示すような、歌舞伎やお芝居および時代劇などで使用するカツラ型ヘルメットは、頭部にセットしたら、スイッチ（8）操作も容易ではないので、電源装置（5）のスイッチ（8）をワイヤレスリモコン型にすることも良案である。
図15から19に示すように、自動二輪車やカーレースなどで使用するフルフェイス型ヘルメットは、異常にムレやすいので換気量の大きな換気ファン（4）と、大容量の電源（7）を要する為、カーバッテリーの電源を使用する事も一案である。
また、図23、24、27、28、31に示すように、換気ファン（4）も、外付け換気ファンA型（21）として電源装置（5）と一体にしてヘルメット（2）本体外に設ける。
あるいは、図25、26、29、30、32に示すように、太陽光発電装置やカーバッテリー等の電源が得られる場合は、外付け換気ファンB型（22）として換気ファン（4）とスイッチ（8）のみヘルメット（2）本体外に設けることも出来る。
前記のように、電源装置（5）や換気ファン（4）を外付けにする事で、ヘルメット（2）本体重量が軽量になると同時にスイッチ（8）操作も便利になり、さらに換気ファン（4）の回転音や振動も減少して、より快適に概ヘルメットを装着できる利点がある。
エコな案として、図33、34、35に示すように、フルフェイス型ヘルメット（2）本体に風力発電装置を設けたり、図36、37、38に示すように、換気ファン（4）と連動する風車（24）を設けた風車連動換気ファン型にすることも一案である。
本発明は以上のような構造で、これを使用するときは、ヘルメット（2）を頭部にかぶせて装着してから、電源装置（5）を操作して、換気ファン（4）の電源をいれて換気ファン（4）を稼動させる。
換気ファン（4）が稼動すると、ヘルメット（2）内部で熱された空気や発汗による蒸気は、換気ファン（4）により、排気管（3）の排気吸引口（12）から強制的に吸気（9）され、排気管（3）を通じて排気管（3）の排気排出口（13）より、ヘルメット（2）外部に強制排気（10）される。
ヘルメット（2）内部の空気を外部に強制排気（10）することでヘルメット（2）内部が陰圧になる。
陰圧になったヘルメット（2）内部には、新鮮な空気の取込み部分である空気取込み口（14）より新鮮な空気が吸気（9）されてヘルメット（2）内部の空気が循環するため、ヘルメット（2）内のムレを解除することが可能になっている。
さらに、図2に示すように、ヘルメット（2）本体の下縁の空気取込み口（14）の任意の位置に冷却材（19）を設ける事も一案である。
ヘルメット（2）本体に冷却材（19）を設ける事で、ヘルメット（2）内部に外部から新鮮な空気を吸気（9）する際、冷却材（19）により空気が冷やされてヘルメット（2）内部に吸気（9）される為、ヘルメット（2）内部の温度上昇を極力抑える事が期待できる。
冷却材（19）は、冷却ジェル、あるいはドライアイス、その他の身体や環境に悪影響をおよぼさない物を使用して、テープやクリップその他でヘルメット（2）本体に着脱容易に設ける。
以上のように本発明は、ヘルメット装着時に、ヘルメット（2）内のムレを解除することが出来ることを特徴とするクールヘルメット（1）である。
【実施例２】
【０００９】
以下、本発明の第２実施の形態について説明する。
本発明は、前記第１実施の形態と同等な素材と機能よりなるヘルメット（2）本体と、ヘルメット（2）本体に本発明の第１実施の形態と同様に設けられた排気管（3）と換気ファン（4）、及び、太陽光発電装置とスイッチ（8）とより構成される。
太陽光発電装置は、図13、14に示すように、ソーラーパネル（18）とソーラーパネル取付基台（17）とよりなり、換気ファン（4）の電源（7）とする。
ソーラーパネル取付基台（17）は、図13、14に示すように、軽量で安全基準に適したもので、太陽光を受けやすく、かつ作業時に負担にならないヘルメット（2）本体の任意の位置に、ソーラーパネル（18）を設置しやすい形状を有して、ヘルメット（2）本体に、ヘルメット（2）本体と一体成形、又は着脱可能にして設けてある。
ソーラーパネル（18）は、ソーラーパネル取付基台（17）に堅固に設けられ、配線を通じて、換気ファン（4）とスイッチ（8）に接続されており、換気ファン（4）を稼動させることができる。
太陽光発電装置は、夏期の屋外作業時は、電源（7）が乾電池などと異なり電池切れの心配がなく安心して作業ができるが、雨天時や室内など太陽光が不足する時などは発電量が不足するため、電池などを電源（7）とする電源装置（5）と太陽光発電装置を組合わせて、状況により同時使用したりして、電源（7）を使い分けたりする事も一案である。
また、図21、22に示すように、フルフェイス型ヘルメット（2）の場合は、屋外での車両走行中での使用がほとんどの為、どの方向からでも太陽光を有効に利用できるように全面にソーラーパネル（18）を設けて電源（7）とするとエコに貢献できる。
なお、雨天時や曇天など発電量が不足するような時は、カーバッテリーや本発明の第１実施の形態と同様な電源装置（5）を併用したりするとよい。
【実施例３】
【００１０】
以下、本発明の第３実施の形態について説明する。
本発明は、前記第１、２実施の形態と同等な素材と機能よりなるフルフェイス型ヘルメット（2）本体と、フルフェイス型ヘルメット（2）本体に本発明の第１、２実施の形態と同様に設けられた排気管（3）と換気ファン（4）、及び、フルフェイス型ヘルメット（2）本体の後方に設けられた風力発電装置とより構成される。
風力発電装置は、図33、34、35に示すように、風車（24）と、風車カバー（25）と、風力発電機（29）と、スイッチ（8）とよりなり、フルフェイス型ヘルメット（2）の換気ファンの電源（7）とする。
フルフェイス型ヘルメット（2）本体は、後方を突出して先端部をしぼめた流線形状に出来ており、自動二輪車等が走行時に、フルフェイス型ヘルメット（2）の後方で風の渦巻き抵抗が生じないと同時に、外気流（23）が後方先端部の一点に集まるようになっていて、走行時には、外気流（23）の風力によって風車（24）が高速回転するように出来ている。
風車（24）は、回転軸（27）を中心にして風力で高速回転するようになっており、フルフェイス型ヘルメット（2）本体の後部の風車カバー（25）内に設けられている。
風車カバー（25）は、フルフェイス型ヘルメット（2）本体と同様な材料で出来ており、外気流（23）がフルフェイス型ヘルメット（2）の後方の一点に集まる箇所に設けられていて、走行時の外気流（23）を妨げる事のないように、フルフェイス型ヘルメット（2）本体とは延べ板状のリブ（26）で接続されていて、風車（24）を予期せぬ外力から保護する役目と同時に、走行時に得られる風力を最大限に利用出来るようになっている。
回転軸（27）は、軽量で錆にくく容易に破損する事のない材料で、滑り抵抗が極力少ない丸棒形状に出来ていて、風車（24）と風力発電機（29）を一体連結しており、フルフェイス型ヘルメット（2）本体の後部に設けられた回転軸受け（28）に貫通されて、微風でも風車（24）を容易に回転するように設計設置されている。
風力発電機（29）は、走行時に高速回転する風車（24）の回転力を利用して発電するようになっており、フルフェイス型ヘルメット（2）本体の後方内部に固定して設けられている。
風力発電機（29）は、配線を通じて換気ファン（4）とスイッチ（8）へ接続されていて、換気ファン（4）を稼動する事が出来るようになっている。
また、図36、37、38に示すように、電源装置（5）や風力発電機（29）を設けず、風車（24）と換気ファン（4）を回転軸（27）で直接連結して設ける。
換気ファン（4）は、走行時に風車（24）が高速回転すると同時に一体連動するようになっている。
風力発電装置型や、風車連動換気ファン型は、電池などの電源（7）を必要としない為、地球に優しいエコなクールヘルメット（1）である。
【符号の説明】
【００１１】
１クールヘルメット
２ヘルメット
３排気管
４換気ファン                  
５電源装置
６電源ボックス          
７電源          
８スイッチ            
９吸気        
１０排気        
１１排気孔
１２排気吸引口            
１３排気排出口
１４空気取込み口        
１５排気管突出口  
１６換気ファンケース    
１７ソーラーパネル取付基台
１８ソーラーパネル
１９冷却材  
２０外付けスイッチボックス
２１外付け換気ファンA型  
２２外付け換気ファンB型
２３外気流
２４風車
２５風車カバー
２６リブ
２７回転軸
２８回転軸受け
２９風力発電機
３０頭髪
３１髪押えネット
【図１】
2015004147.tif 000003
【図２】
2015004147.tif 000004
【図３】
2015004147.tif 000005
【図４】
2015004147.tif 000006
【図５】
2015004147.tif 000007
【図６】
2015004147.tif 000008
【図７】
2015004147.tif 000009
【図８】
2015004147.tif 000010
【図９】
2015004147.tif 000011
【図１０】
2015004147.tif 000012
【図１１】
2015004147.tif 000013
【図１２】
2015004147.tif 000014
【図１３】
2015004147.tif 000015
【図１４】
2015004147.tif 000016
【図１５】
2015004147.tif 000017
【図１６】
2015004147.tif 000018
【図１７】
2015004147.tif 000019
【図１８】
2015004147.tif 000020
【図１９】
2015004147.tif 000021
【図２０】
2015004147.tif 000022
【図２１】
2015004147.tif 000023
【図２２】
2015004147.tif 000024
【図２３】
2015004147.tif 000025
【図２４】
2015004147.tif 000026
【図２５】
2015004147.tif 000027
【図２６】
2015004147.tif 000028
【図２７】
2015004147.tif 000029
【図２８】
2015004147.tif 000030
【図２９】
2015004147.tif 000031
【図３０】
2015004147.tif 000032
【図３１】
2015004147.tif 000033
【図３２】
2015004147.tif 000034
【図３３】
2015004147.tif 000035
【図３４】
2015004147.tif 000036
【図３５】
2015004147.tif 000037
【図３６】
2015004147.tif 000038
【図３７】
2015004147.tif 000039
【図３８】
2015004147.tif 000040
【図３９】
2015004147.tif 000041
【図４０】
2015004147.tif 000042